【手続補正書】
【提出日】平成20年1月11日(2008.1.11)
【手続補正１】
【補正対象書類名】明細書
【補正対象項目名】特許請求の範囲
【補正方法】変更
【補正の内容】
【特許請求の範囲】
【請求項１】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する前記入口面に対して垂直ではない軸に沿う光を、前記入口面に対して垂直な軸へと再指向させる、前記入口面に連結された少なくとも１つのカプラーと、
を有する光学パネル。
【請求項２】  更に、少なくとも１つの光発生システムを有する請求項１の光学パネル。
【請求項３】  前記光発生システムは、
光源と、
前記光源からの入射光を前記カプラー内へと再指向させる少なくとも１つの光再指向性素子と、
を有する請求項２の光学パネル。
【請求項４】  前記光源は、前記入口面に隣接し且つ平行であり、又前記光源は、光を前記入口面と平行に、前記入口面の上部から底部へと照射する請求項３の光学パネル。
【請求項５】  前記光源は、電球、スライドプロジェクタ、ビデオプロジェクタ及びレーザからなる群より選択される請求項３の光学パネル。
【請求項６】  前記カプラーは、約４５度〜約９０度の範囲内の角度で前記光の向きを前記入口面内へと変える請求項３の光学パネル。
【請求項７】  前記光発生システムは更に、変調器と、画像形成光学系と、を有する請求項３の光学パネル。
【請求項８】  前記光発生システムは、
光再指向性素子と、
前記光再指向性素子と光学的に整列されたプロジェクタと、
を有する請求項２の光学パネル。
【請求項９】  前記プロジェクタは、光を前記光再指向性素子上に投影し、該光は前記光再指向性素子によって前記カプラーへと再指向される請求項８の光学パネル。
【請求項１０】  前記プロジェクタは、前記入口面の下に配置される請求項９の光学パネル。
【請求項１１】  前記プロジェクタは、前記光を前記入口面と略平行に投影するように前記入口面の上部に隣接して配置され、又前記光再指向性素子からの前記光の向きを前記カプラー内へと変えることを許すように前記入口面から離間して配置される請求項９の光学パネル。
【請求項１２】  前記プロジェクタは、前記光を発生する光源と、前記光を変調して画像を形成する変調器と、を有する請求項９の光学パネル。
【請求項１３】  前記変調器は、液晶ディスプレイ、ディジタルマイクロミラー装置、ＧＬＶ、レーザラスタスキャナ、ＰＤＬＣ、ＬＣＯＳ、ＭＥＭＳ及びＣＲＴからなる群より選択される請求項１２の光学パネル。
【請求項１４】  前記プロジェクタは、前記光再指向性素子を横切って水平方向及び垂直方向に前記光を分配する画像光学系を有する請求項１２の光学パネル。
【請求項１５】  前記画像光学系は、集束レンズ及びミラーを有する請求項１４の光学パネル。
【請求項１６】  前記画像光学系及び前記光再指向性素子は、拡大レンズを有する請求項１５の光学パネル。
【請求項１７】  ２〜４個の光発生システムが光を前記カプラーに供給する請求項２の光学パネル。
【請求項１８】  前記光発生システムは、前記カプラーを横切って水平方向及び垂直方向に光をラスタさせるラスタシステムを有する請求項２の光学パネル。
【請求項１９】  更に、前部、後部、２つの側部、上部及び底部を備えた筐体を有する請求項２の光学パネル。
【請求項２０】  前記筐体は、前記光発生システム及び前記複数の導波路をその中に閉囲する請求項１９の光学パネル。
【請求項２１】  前記筐体の前部は開放されており、又前記筐体の前記開放した前部から前記後部へと見て、前記筐体は閉じた奥行きを有する請求項１９の光学パネル。
【請求項２２】  前記閉じた奥行きは約１２ｃｍである請求項２１の光学パネル。
【請求項２３】  前記上部、底部、２つの側部及び後部は、それぞれ前記入口面に隣接する内側と、外側と、を有し、前記上部、底部、後部及び２つの側部の内側は黒色である請求項２１の光学パネル。
【請求項２４】  各導波路は水平方向に延在し、又前記複数の積層された導波路は前記出口面に沿って垂直方向に延在する請求項１の光学パネル。
【請求項２５】  光はビデオ画像として前記出口面上で表示される請求項１の光学パネル。
【請求項２６】  前記複数の導波路は、前記入口面から前記出口面への垂直軸に沿う厚さを有し、該厚さは前記出口面の高さ及び幅より小さい請求項１の光学パネル。
【請求項２７】  前記幅と前記高さの比は４：３である請求項２６の光学パネル。
【請求項２８】  前記出口面の前記高さは約１００ｃｍであり、前記出口面の前記幅は約１３３ｃｍであり、前記厚さが約１ｃｍである請求項２７の光学パネル。
【請求項２９】  前記複数の導波路の各導波路は、第１の屈折率を有する透明な中心コアを有し、該中心コアは少なくとも２つのクラッド層の間に配置される請求項１の光学パネル。
【請求項３０】  前記中心コアはポリマー、プラスチックラミネート及びガラスからなる群より選択される材料で形成される請求項２９の光学パネル。
【請求項３１】  前記ガラスはＢＫ７タイプである請求項３０の光学パネル。
【請求項３２】  前記ガラスは、約２〜４０ミクロン（μｍ）の範囲内の厚さを有するシートに形成される請求項３０の光学パネル。
【請求項３３】  前記中心コアは、少なくとも２つのクラッド層の間にラミネートされる請求項３０の光学パネル。
【請求項３４】  前記中心コアに直接触する前記クラッド層は、前記第１の屈折率より小さい第２の屈折率を有する請求項３０の光学パネル。
【請求項３５】  前記クラッドは、プレキシガラス、ガラス、プラスチック、ポリウレタン、低屈折率ポリマー及びエポキシからなる群より選択される請求項３０の光学パネル。
【請求項３６】  １つのクラッド層が隣接する中心コアの間に配置され、該クラッド層は黒色である請求項３０の光学パネル。
【請求項３７】  少なくとも２つのクラッド層が隣接する中心コアの間に配置され、該クラッド層の１つは黒色である請求項３０の光学パネル。
【請求項３８】  クリアなクラッド層が前記中心コアと接触し、黒色のクラッド層が隣接するクリアなクラッド層の間に配置される請求項３７の光学パネル。
【請求項３９】  前記黒色のクラッド層は、黒色噴霧塗料、及び隣接する中心コアを互いに接合するエポキシ接着剤中のカーボン粒子からなる群より選択される材料から形成される請求項３６、３７又は３８の光学パネル。
【請求項４０】  前記複数の導波路のそれぞれは、前記出口面に沿って水平方向に連続して延在する平坦なリボンとして形成される請求項１の光学パネル。
【請求項４１】  前記複数の積層された導波路は、約５００〜約８００個の導波路の積層体を有する請求項１の光学パネル。
【請求項４２】  前記複数の積層された導波路の各々は、傾斜しないで積層される請求項１の光学パネル。
【請求項４３】  前記カプラーはプリズム状カプラーである請求項１の光学パネル。
【請求項４４】  前記プリズム状カプラーは、前記入口面の水平線に沿って直線状であり、前記入口面の垂直線に沿って離間して配置されるフレネルプリズム状溝を有する請求項４３の光学パネル。
【請求項４５】  前記プリズム状カプラーは、約９０度までの角度で光の向きを変える請求項４４の光学パネル。
【請求項４６】  前記プリズム状カプラーは、透過性直角フィルム(ＴＲＡＦ：Transmissive Right Angle Film)である請求項４５の光学パネル。
【請求項４７】  迷光を前記複数の積層された導波路内へと反射させるように、前記プリズム状カプラーに直隣接して反射器が配置される請求項４５の光学パネル。
【請求項４８】  前記カプラーは回折素子である請求項１の光学パネル。
【請求項４９】  前記カプラーはホログラフィック素子である請求項１の光学パネル。
【請求項５０】  投影された画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記入口面に対して垂直ではない軸に沿う光を、前記入口面に対して垂直な軸へと再指向させる、前記入口面に連結された少なくとも１つのカプラーと、
を有し、
前記光は、当該光学パネルを通して投影されて前記出口面において形成される画像を形成する光学パネル。
【請求項５１】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路を有し、
光画像は前記入口面上に投影され、少なくとも１つの導波路は一方向において前記出口面を完全に横切って延在する光学パネル。
【請求項５２】  更に、少なくとも１つの光発生システムを有する請求項５１の光学パネル。
【請求項５３】  前記光発生システムは、
光源と、
前記光源からの入射光を前記入口面上へと再指向させる少なくとも１つの光再指向性素子と、
を有する請求項５２の光学パネル。
【請求項５４】  前記光源は、前記入口面に隣接し且つ平行であり、又前記光源は、光を前記入口面と平行に、前記入口面の上部から底部へと照射する請求項５３の光学パネル。
【請求項５５】  前記光源は、電球、スライドプロジェクタ、ビデオプロジェクタ及びレーザからなる群より選択される請求項５３の光学パネル。
【請求項５６】  前記光発生システムは更に、変調器と、画像形成光学系と、を有する請求項５３の光学パネル。
【請求項５７】  前記光発生システムは、
光再指向性素子と、
前記光再指向性素子と光学的に整列されたプロジェクタと、
を有する請求項５２の光学パネル。
【請求項５８】  前記プロジェクタは、光を前記光再指向性素子上に投影し、該光は前記光再指向性素子によって前記入口面上へと再指向される請求項５７の光学パネル。
【請求項５９】  前記プロジェクタは、前記入口面の下に配置される請求項５８の光学パネル。
【請求項６０】  前記プロジェクタは、前記光を前記入口面と略平行に投影するように前記入口面の上部に隣接して配置され、又前記光再指向性素子からの前記光の向きを前記入口面上へと変えることを許すように前記入口面から離間して配置される請求項５８の光学パネル。
【請求項６１】  前記プロジェクタは、前記光を発生する光源と、前記光を変調して画像を形成する変調器と、を有する請求項５８の光学パネル。
【請求項６２】  前記変調器は、液晶ディスプレイ、ディジタルマイクロミラー装置、ＧＬＶ、レーザラスタスキャナ、ＰＤＬＣ、ＬＣＯＳ、ＭＥＭＳ及びＣＲＴからなる群より選択される請求項６１の光学パネル。
【請求項６３】  前記プロジェクタは、前記光再指向性素子を横切って水平方向及び垂直方向に前記光を分配する画像光学系を有する請求項６１の光学パネル。
【請求項６４】  前記画像光学系は、集束レンズ及びミラーを有する請求項６３の光学パネル。
【請求項６５】  前記画像光学系及び前記光再指向性素子は、拡大レンズを有する請求項６４の光学パネル。
【請求項６６】  ２〜４個の光発生システムが光を前記入口面に供給する請求項５２の光学パネル。
【請求項６７】  前記光発生システムは、前記入口面を横切って水平方向及び垂直方向に光をラスタさせるラスタシステムを有する請求項５２の光学パネル。
【請求項６８】  更に、前部、後部、２つの側部、上部及び底部を備えた筐体を有する請求項５２の光学パネル。
【請求項６９】  前記筐体は、前記光発生システム及び前記複数の導波路をその中に閉囲する請求項６８の光学パネル。
【請求項７０】  前記筐体の前部は開放されており、又前記筐体の前記開放した前部から前記後部へと見て、前記筐体は閉じた奥行きを有する請求項６８の光学パネル。
【請求項７１】  前記閉じた奥行きは約１２ｃｍである請求項７０の光学パネル。
【請求項７２】  前記上部、底部、２つの側部及び後部は、それぞれ前記入口面に隣接する内側と、外側と、を有し、前記上部、底部、後部及び２つの側部の内側は黒色である請求項７０の光学パネル。
【請求項７３】  各導波路は水平方向に延在し、又前記複数の積層された導波路は前記出口面に沿って垂直方向に延在する請求項５１の光学パネル。
【請求項７４】  光はビデオ画像として前記出口面上で表示される請求項５１の光学パネル。
【請求項７５】  前記複数の導波路は、前記入口面から前記出口面への垂直軸に沿う厚さを有し、該厚さは前記出口面の高さ及び幅より小さい請求項５１の光学パネル。
【請求項７６】  前記幅と前記高さの比は４：３である請求項７５の光学パネル。
【請求項７７】  前記出口面の前記高さは約１００ｃｍであり、前記出口面の前記幅は約１３３ｃｍであり、前記厚さが約１ｃｍである請求項７６の光学パネル。
【請求項７８】  前記複数の導波路の各導波路は、第１の屈折率を有する透明な中心コアを有し、該中心コアは少なくとも２つのクラッド層の間に配置される請求項５１の光学パネル。
【請求項７９】  前記中心コアはポリマー、プラスチックラミネート及びガラスからなる群より選択される材料で形成される請求項７８の光学パネル。
【請求項８０】  前記ガラスはＢＫ７タイプである請求項７９の光学パネル。
【請求項８１】  前記ガラスは、約２〜４０ミクロン（μｍ）の範囲内の厚さを有するシートに形成される請求項７９の光学パネル。
【請求項８２】  前記中心コアは、少なくとも２つのクラッド層の間にラミネートされる請求項７９の光学パネル。
【請求項８３】  前記中心コアに直接触する前記クラッド層は、前記第１の屈折率より小さい第２の屈折率を有する請求項７９の光学パネル。
【請求項８４】  前記クラッドは、プレキシガラス、ガラス、プラスチック、ポリウレタン、低屈折率ポリマー及びエポキシからなる群より選択される請求項７９の光学パネル。
【請求項８５】  １つのクラッド層が隣接する中心コアの間に配置され、該クラッド層は黒色である請求項７９の光学パネル。
【請求項８６】  少なくとも２つのクラッド層が隣接する中心コアの間に配置され、該クラッド層の１つは黒色である請求項７９の光学パネル。
【請求項８７】  クリアなクラッド層が前記中心コアと接触し、黒色のクラッド層が隣接するクリアなクラッド層の間に配置される請求項８６の光学パネル。
【請求項８８】  前記黒色のクラッド層は、黒色噴霧塗料、及び隣接する中心コアを互いに接合するエポキシ接着剤中のカーボン粒子からなる群より選択される材料から形成される請求項８５、８６又は８７の光学パネル。
【請求項８９】  前記複数の導波路のそれぞれは、前記出口面に沿って水平方向に連続して延在する平坦なリボンとして形成される請求項５１の光学パネル。
【請求項９０】  前記複数の積層された導波路は、約５００〜約８００個の導波路の積層体を有する請求項５１の光学パネル。
【請求項９１】  前記複数の積層された導波路の各々は、傾斜しないで積層される請求項５１の光学パネル。
【請求項９２】  投影された画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路を有し、
前記入口面に入射しない光が前記入口面に入射するように再指向され、該入口面に入射する光が、当該光学パネルを通して投影されて前記出口面において形成される画像を形成し、少なくとも１つの導波路は一方向において前記出口面を完全に横切って延在する光学パネル。
【請求項９３】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に連結された少なくとも１つのカプラーと、
を有し、
少なくとも１つの導波路は一方向において前記出口面を完全に横切って延在する光学パネル。
【請求項９４】  更に、少なくとも１つの光発生システムを有する請求項９３の光学パネル。
【請求項９５】  前記光発生システムは、
光源と、
前記光源からの入射光を前記カプラー内へと再指向させる少なくとも１つの光再指向性素子と、
を有する請求項９４の光学パネル。
【請求項９６】  前記光源は、前記入口面に隣接し且つ平行であり、又前記光源は、光を前記入口面と平行に、前記入口面の上部から底部へと照射する請求項９５の光学パネル。
【請求項９７】  前記光源は、電球、スライドプロジェクタ、ビデオプロジェクタ及びレーザからなる群より選択される請求項９５の光学パネル。
【請求項９８】  前記カプラーは、約４５度〜約９０度の範囲内の角度で前記光の向きを前記入口面内へと変える請求項９５の光学パネル。
【請求項９９】  前記光発生システムは更に、変調器と、画像形成光学系と、を有する請求項９５の光学パネル。
【請求項１００】  前記光発生システムは、
光再指向性素子と、
前記光再指向性素子と光学的に整列されたプロジェクタと、
を有する請求項９４の光学パネル。
【請求項１０１】  前記プロジェクタは、光を前記光再指向性素子上に投影し、該光は前記光再指向性素子によって前記カプラーへと再指向される請求項１００の光学パネル。
【請求項１０２】  前記プロジェクタは、前記入口面の下に配置される請求項１０１の光学パネル。
【請求項１０３】  前記プロジェクタは、前記光を前記入口面と略平行に投影するように前記入口面の上部に隣接して配置され、又前記光再指向性素子からの前記光の向きを前記カプラー内へと変えることを許すように前記入口面から離間して配置される請求項１０１の光学パネル。
【請求項１０４】  前記プロジェクタは、前記光を発生する光源と、前記光を変調して画像を形成する変調器と、を有する請求項１０１の光学パネル。
【請求項１０５】  前記変調器は、液晶ディスプレイ、ディジタルマイクロミラー装置、ＧＬＶ、レーザラスタスキャナ、ＰＤＬＣ、ＬＣＯＳ、ＭＥＭＳ及びＣＲＴからなる群より選択される請求項１０４の光学パネル。
【請求項１０６】  前記プロジェクタは、前記光再指向性素子を横切って水平方向及び垂直方向に前記光を分配する画像光学系を有する請求項１０４の光学パネル。
【請求項１０７】  前記画像光学系は、集束レンズ及びミラーを有する請求項１０６の光学パネル。
【請求項１０８】  前記画像光学系及び前記光再指向性素子は、拡大レンズを有する請求項１０７の光学パネル。
【請求項１０９】  ２〜４個の光発生システムが光を前記カプラーに供給する請求項９４の光学パネル。
【請求項１１０】  前記光発生システムは、前記カプラーを横切って水平方向及び垂直方向に光をラスタさせるラスタシステムを有する請求項９４の光学パネル。
【請求項１１１】  更に、前部、後部、２つの側部、上部及び底部を備えた筐体を有する請求項９４の光学パネル。
【請求項１１２】  前記筐体は、前記光発生システム及び前記複数の導波路をその中に閉囲する請求項１１１の光学パネル。
【請求項１１３】  前記筐体の前部は開放されており、又前記筐体の前記開放した前部から前記後部へと見て、前記筐体は閉じた奥行きを有する請求項１１１の光学パネル。
【請求項１１４】  前記閉じた奥行きは約１２ｃｍである請求項１１３の光学パネル。
【請求項１１５】  前記上部、底部、２つの側部及び後部は、それぞれ前記入口面に隣接する内側と、外側と、を有し、前記上部、底部、後部及び２つの側部の内側は黒色である請求項１１３の光学パネル。
【請求項１１６】  各導波路は水平方向に延在し、又前記複数の積層された導波路は前記出口面に沿って垂直方向に延在する請求項９３の光学パネル。
【請求項１１７】  光はビデオ画像として前記出口面上で表示される請求項９３の光学パネル。
【請求項１１８】  前記複数の導波路は、前記入口面から前記出口面への垂直軸に沿う厚さを有し、該厚さは前記出口面の高さ及び幅より小さい請求項９３の光学パネル。
【請求項１１９】  前記幅と前記高さの比は４：３である請求項１１８の光学パネル。
【請求項１２０】  前記出口面の前記高さは約１００ｃｍであり、前記出口面の前記幅は約１３３ｃｍであり、前記厚さが約１ｃｍである請求項１１９の光学パネル。
【請求項１２１】  前記複数の導波路の各導波路は、第１の屈折率を有する透明な中心コアを有し、該中心コアは少なくとも２つのクラッド層の間に配置される請求項９２の光学パネル。
【請求項１２２】  前記中心コアはポリマー、プラスチックラミネート及びガラスからなる群より選択される材料で形成される請求項１２１の光学パネル。
【請求項１２３】  前記ガラスはＢＫ７タイプである請求項１２２の光学パネル。
【請求項１２４】  前記ガラスは、約２〜４０ミクロン（μｍ）の範囲内の厚さを有するシートに形成される請求項１２２の光学パネル。
【請求項１２５】  前記中心コアは、少なくとも２つのクラッド層の間にラミネートされる請求項１２２の光学パネル。
【請求項１２６】  前記中心コアに直接触する前記クラッド層は、前記第１の屈折率より小さい第２の屈折率を有する請求項１２２の光学パネル。
【請求項１２７】  前記クラッドは、プレキシガラス、ガラス、プラスチック、ポリウレタン、低屈折率ポリマー及びエポキシからなる群より選択される請求項１２２の光学パネル。
【請求項１２８】  １つのクラッド層が隣接する中心コアの間に配置され、該クラッド層は黒色である請求項１２２の光学パネル。
【請求項１２９】  少なくとも２つのクラッド層が隣接する中心コアの間に配置され、該クラッド層の１つは黒色である請求項１２２の光学パネル。
【請求項１３０】  クリアなクラッド層が前記中心コアと接触し、黒色のクラッド層が隣接するクリアなクラッド層の間に配置される請求項１２９の光学パネル。
【請求項１３１】  前記黒色のクラッド層は、黒色噴霧塗料、及び隣接する中心コアを互いに接合するエポキシ接着剤中のカーボン粒子からなる群より選択される材料から形成される請求項１２８、１２９又は１３０の光学パネル。
【請求項１３２】  前記複数の導波路のそれぞれは、前記出口面に沿って水平方向に連続して延在する平坦なリボンとして形成される請求項９３の光学パネル。
【請求項１３３】  前記複数の積層された導波路は、約５００〜約８００個の導波路の積層体を有する請求項９３の光学パネル。
【請求項１３４】  前記複数の積層された導波路の各々は、傾斜しないで積層される請求項９３の光学パネル。
【請求項１３５】  前記カプラーはプリズム状カプラーである請求項９３の光学パネル。
【請求項１３６】  前記プリズム状カプラーは、前記入口面の水平線に沿って直線状であり、前記入口面の垂直線に沿って離間して配置されるフレネルプリズム状溝を有する請求項１３５の光学パネル。
【請求項１３７】  前記プリズム状カプラーは、約９０度までの角度で光の向きを変える請求項１３６の光学パネル。
【請求項１３８】  前記プリズム状カプラーは、透過性直角フィルム(ＴＲＡＦ：Transmissive Right Angle Film)である請求項１３７の光学パネル。
【請求項１３９】  迷光を前記複数の積層された導波路内へと反射させるように、前記プリズム状カプラーに直隣接して反射器が配置される請求項１３７の光学パネル。
【請求項１４０】  前記カプラーは回折素子である請求項９３の光学パネル。
【請求項１４１】  前記カプラーはホログラフィック素子である請求項９３の光学パネル。
【請求項１４２】  投影された画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
光を前記入口面内へと再指向させる、前記入口面に連結された少なくとも１つのカプラーと、
を有し、
前記光は、当該光学パネルを通して投影されて前記出口面において形成される画像を形成し、
少なくとも１つの導波路は一方向において前記出口面を完全に横切って延在する光学パネル。
【請求項１４３】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
少なくとも１つの導波路は一方向において前記出口面を完全に横切って延在する光学パネル。
【請求項１４４】  更に、少なくとも１つの光発生システムを有する請求項１４３の光学パネル。
【請求項１４５】  ２〜４個の光発生システムが光を前記カプラーに供給する請求項１４４の光学パネル。
【請求項１４６】  更に、前部、後部、２つの側部、上部及び底部を備えた筐体を有する請求項１４４の光学パネル。
【請求項１４７】  前記筐体は、前記光発生システム及び前記複数の導波路をその中に閉囲する請求項１４６の光学パネル。
【請求項１４８】  前記筐体の前部は開放されており、又前記筐体の前記開放した前部から前記後部へと見て、前記筐体は閉じた奥行きを有する請求項１４６の光学パネル。
【請求項１４９】  前記複数の導波路は、前記入口面から前記出口面への垂直軸に沿う厚さを有し、該厚さは前記出口面の高さ及び幅より小さい請求項１４３の光学パネル。
【請求項１５０】  前記複数の積層された導波路の各々は、傾斜しないで積層される請求項１４３の光学パネル。
【請求項１５１】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
少なくとも１つの光発生システムと、
前記投影された光画像を形成する光を前記入口面内へと再指向させる、前記入口面に設けられた少なくとも１つのカプラーと、
を有し、
前記光発生システムは、
光源と、
前記光源からの入射光を前記カプラー内へと再指向させる少なくとも１つの光再指向性素子と、
を有する光学パネル。
【請求項１５２】  前記光源は、前記入口面に隣接し且つ平行であり、又前記光源は、光を前記入口面と平行に、前記入口面の上部から底部へと照射する請求項１５１の光学パネル。
【請求項１５３】  前記光源は、電球、スライドプロジェクタ、ビデオプロジェクタ及びレーザからなる群より選択される請求項１５１の光学パネル。
【請求項１５４】  前記光発生システムは更に、変調器と、画像形成光学系と、を有する請求項１５１の光学パネル。
【請求項１５５】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
前記カプラーは、約４５度〜約９０度の範囲内の角度で前記光の向きを前記入口面内へと変える光学パネル。
【請求項１５６】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
少なくとも１つの光発生システムと、
前記投影された光画像を形成する光を前記入口面内へと再指向させる、前記入口面に設けられた少なくとも１つのカプラーと、
を有し、
前記光発生システムは、
光再指向性素子と、
前記光再指向性素子と光学的に整列されたプロジェクタと、
を有する光学パネル。
【請求項１５７】  前記プロジェクタは、光を前記光再指向性素子上に投影し、該光は前記光再指向性素子によって前記カプラーへと再指向される請求項１５６の光学パネル。
【請求項１５８】  前記プロジェクタは、前記入口面の下に配置される請求項１５７の光学パネル。
【請求項１５９】  前記プロジェクタは、前記光を前記入口面と略平行に投影するように前記入口面の上部に隣接して配置され、又前記光再指向性素子からの前記光の向きを前記カプラー内へと変えることを許すように前記入口面から離間して配置される請求項１５７の光学パネル。
【請求項１６０】  前記プロジェクタは、前記光を発生する光源と、前記光を変調して画像を形成する変調器と、を有する請求項１５７の光学パネル。
【請求項１６１】  前記変調器は、液晶ディスプレイ、ディジタルマイクロミラー装置、ＧＬＶ、レーザラスタスキャナ、ＰＤＬＣ、ＬＣＯＳ、ＭＥＭＳ及びＣＲＴからなる群より選択される請求項１６０の光学パネル。
【請求項１６２】  前記プロジェクタは、前記光再指向性素子を横切って水平方向及び垂直方向に前記光を分配する画像光学系を有する請求項１６０の光学パネル。
【請求項１６３】  前記画像光学系は、集束レンズ及びミラーを有する請求項１６２の光学パネル。
【請求項１６４】  前記画像光学系及び前記光再指向性素子は、拡大レンズを有する請求項１６２の光学パネル。
【請求項１６５】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
少なくとも１つの光発生システムと、
前記投影された光画像を形成する光を前記入口面内へと再指向させる、前記入口面に設けられた少なくとも１つのカプラーと、
を有し、
前記光発生システムは、前記カプラーを横切って水平方向及び垂直方向に光をラスタさせるラスタシステムを有する光学パネル。
【請求項１６６】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
少なくとも１つの光発生システムと、
前部、後部、２つの側部、上部及び底部を備えた筐体と、
前記投影された光画像を形成する光を前記入口面内へと再指向させる、前記入口面に設けられた少なくとも１つのカプラーと、
を有し、
前記筐体の前部は開放されており、前記筐体の前記開放した前部から前記後部へと見て、前記筐体は閉じた奥行きを有し、又前記閉じた奥行きは約１２ｃｍである光学パネル。
【請求項１６７】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
少なくとも１つの光発生システムと、
前部、後部、２つの側部、上部及び底部を備えた筐体と、
前記投影された光画像を形成する光を前記入口面内へと再指向させる、前記入口面に設けられた少なくとも１つのカプラーと、
を有し、
前記筐体の前部は開放されており、前記筐体の前記開放した前部から前記後部へと見て、前記筐体は閉じた奥行きを有し、又前記上部、底部、２つの側部及び後部は、それぞれ前記入口面に隣接する内側と、外側と、を有し、前記上部、底部、後部及び２つの側部の内側は黒色である光学パネル。
【請求項１６８】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
各導波路は水平方向に延在し、又前記複数の積層された導波路は前記出口面に沿って垂直方向に延在する光学パネル。
【請求項１６９】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
光はビデオ画像として前記出口面上で表示される光学パネル。
【請求項１７０】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
前記複数の導波路は、前記入口面から前記出口面への垂直軸に沿う厚さを有し、該厚さは前記出口面の高さ及び幅より小さく、前記幅と前記高さの比は４：３である光学パネル。
【請求項１７１】  前記出口面の前記高さは約１００ｃｍであり、前記出口面の前記幅は約１３３ｃｍであり、前記厚さが約１ｃｍである請求項１７０の光学パネル。
【請求項１７２】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
前記複数の導波路の各導波路は、第１の屈折率を有する透明な中心コアを有し、該中心コアは少なくとも２つのクラッド層の間に配置される光学パネル。
【請求項１７３】  前記中心コアはポリマー、プラスチックラミネート及びガラスからなる群より選択される材料で形成される請求項１７２の光学パネル。
【請求項１７４】  前記ガラスはＢＫ７タイプである請求項１７３の光学パネル。
【請求項１７５】  前記ガラスは、約２〜４０ミクロン（μｍ）の範囲内の厚さを有するシートに形成される請求項１７３の光学パネル。
【請求項１７６】  前記中心コアは、少なくとも２つのクラッド層の間にラミネートされる請求項１７２の光学パネル。
【請求項１７７】  前記中心コアを取り囲む前記クラッド層は、前記第１の屈折率より小さい第２の屈折率を有する請求項１７２の光学パネル。
【請求項１７８】  前記クラッドは、プレキシガラス、ガラス、プラスチック、ポリウレタン、低屈折率ポリマー及びエポキシからなる群より選択される請求項１７３の光学パネル。
【請求項１７９】  １つのクラッド層が隣接する中心コアの間に配置され、該クラッド層は黒色である請求項１７２の光学パネル。
【請求項１８０】  少なくとも２つのクラッド層が隣接する中心コアの間に配置され、該クラッド層の１つは黒色である請求項１７２の光学パネル。
【請求項１８１】  クリアなクラッド層が前記中心コアと接触し、黒色のクラッド層が隣接するクリアなクラッド層の間に配置される請求項１８０の光学パネル。
【請求項１８２】  前記黒色のクラッド層は、黒色噴霧塗料、及びエポキシ接着剤中のカーボン粒子からなる群より選択される材料から形成される請求項１７９、１８０又は１８１の光学パネル。
【請求項１８３】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
前記複数の導波路のそれぞれは、前記出口面に沿って水平方向に連続して延在する平坦なリボンとして形成される光学パネル。
【請求項１８４】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
前記複数の積層された導波路は、約５００〜約８００個の導波路の積層体を有する光学パネル。
【請求項１８５】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
前記カプラーはプリズム状カプラーである光学パネル。
【請求項１８６】  前記プリズム状カプラーは、前記入口面の水平線に沿って直線状であり、前記入口面の垂直線に沿って離間して配置されるフレネルプリズム状溝を有する請求項１８５の光学パネル。
【請求項１８７】  前記プリズム状カプラーは、約９０度までの角度で光の向きを変える請求項１８５の光学パネル。
【請求項１８８】  前記プリズム状カプラーは、透過性直角フィルム(ＴＲＡＦ：Transmissive Right Angle Film)である請求項１８７の光学パネル。
【請求項１８９】  迷光を前記複数の積層された導波路内へと反射させるように、前記プリズム状カプラーに密接に隣接して反射器が配置される請求項１８７の光学パネル。
【請求項１９０】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
前記カプラーは回折素子である光学パネル。
【請求項１９１】  投影された光画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
前記投影された光画像を形成する光を前記入口面内へと再指向させる、前記入口面に設けられた少なくとも１つのカプラーと、
を有し、
前記カプラーはホログラフィック素子である光学パネル。
【請求項１９２】  投影された画像を表示するための光学パネルであって、
各々が第１の端部と第２の端部とを有する複数の積層された平面状の光学導波路であって、前記複数の第１の端部によって出口面が画成され、前記複数の第２の端部によって入口面が画成され、前記入口面は前記出口面と実質的に平行である複数の積層された光学導波路と、
光を前記入口面内へと再指向させる、前記入口面に設けられた少なくとも１つのカプラーと、
を有し、
前記光は、当該光学パネルを通して投影されて前記出口面において形成される画像を形成し、
少なくとも１つの導波路は一方向において前記出口面を完全に横切って延在する光学パネル。
【請求項１９３】  投影された光画像を表示するための光学パネルの製造方法であって、
第１の平面状シートを、前記第１の平面状シートよりも僅かに大きな寸法のトラフ内に配置すること、
前記トラフを熱硬化性エポキシで充填すること、
前記第１の平面状シートの上に更なる平面状シートを積層することで各平面状シートの間にエポキシ層を形成すること、
前記積層体に一様な圧力を加えることで前記エポキシを流動させて平面状シートの間で略一様なレベルとすること、
前記積層体をベーキングして硬化させること、
前記積層体を冷却すること、
前記入口面が前記出口面と実質的に平行になるように、前記積層体を切断して前記積層体の一側部に入口面を形成し、前記積層体の反対側の側部に出口面を形成すること、
前記積層体の前記入口面に、カプラーであって、前記投影された光画像を形成する前記入口面に対して垂直ではない軸に沿う光を、前記入口面に対して垂直な軸へと再指向させるカプラーを接合すること、
前記カプラーが接合された前記積層体を、前記出口面と整列される開放した前部を有し、又その内部に前記カプラーと光学的に整列される光発生器を有する矩形の筐体の中に固定すること、
を含む製造方法。
【請求項１９４】  前記エポキシは黒色である請求項１９３の製造方法。
【請求項１９５】  前記エポキシは前記平面状シートよりも小さい屈折率を有する請求項１９３の製造方法。
【請求項１９６】  前記積層は、約５００〜約８００枚の平面状シートが積層されるまで繰り返す請求項１９３の製造方法。
【請求項１９７】  前記エポキシの略一様なレベルは、平面状シートの間で約０．０００５１ｃｍ（０．０００２インチ）の深さである請求項１９３の製造方法。
【請求項１９８】  前記ベーキングは約８０℃にて行う請求項１９３の製造方法。
【請求項１９９】  前記切断はダイアモンド鋸を用いて行なう請求項１９３の製造方法。
【請求項２００】  更に、前記切断の後に前記積層体をダイアモンドポリッシャーで研磨することを含む請求項１９３の製造方法。
【請求項２０１】  更に、前記切断の後に前記出口面をつや消しにすることを含む請求項１９３の製造方法。
【請求項２０２】  投影された光画像を表示するための光学パネルの製造方法であって、
複数の平面状シートを、前記平面状シートの屈折率よりも小さい屈折率を有するクリアなクラッド材料で個別に被覆すること、
複数の被覆された平面状シートを垂直方向に積層すること、
前記複数の積層された被覆された平面状シートを、エポキシを用いて互いに固定すること、
前記積層体に一様な圧力を加えること、
前記積層体をベーキングして硬化させること、
前記入口面が前記出口面と実質的に平行になるように、前記積層体を切断して前記積層体の一側部に入口面を形成し、前記積層体の反対側の側部に出口面を形成すること、
前記積層体の前記入口面に、カプラーであって、前記投影された光画像を形成する前記入口面に対して垂直ではない軸に沿う光を、前記入口面に対して垂直な軸へと再指向させるカプラーを接合すること、
前記カプラーが接合された前記積層体を、前記出口面と整列される開放した前部を有し、又その内部に前記カプラーと光学的に整列される光発生器を有する矩形の筐体の中に固定すること、
を含む製造方法。
【請求項２０３】  前記エポキシは黒色である請求項２０２の製造方法。
【請求項２０４】  前記垂直方向の積層は、１つの被覆された平面状シートの表面積よりも僅かに大きなトラフの中で行なう請求項２０２の製造方法。
【請求項２０５】  前記固定は、前記積層の前に熱硬化性黒色エポキシで前記トラフを充填することを含む請求項２０４の製造方法。
【請求項２０６】  前記垂直方向の積層は、約５００〜約８００枚の平面状シートが積層されるまで繰り返す請求項２０２の製造方法。
【請求項２０７】  更に、前記切断の後に前記入口面及び前記出口面をつや消しにすることを含む請求項２０２の製造方法。
【請求項２０８】  更に、前記切断の後に前記入口面及び前記出口面をダイアモンドポリッシャーで研磨することを含む請求項２０２の製造方法。
【請求項２０９】  投影された光画像を表示するための光学パネルの製造方法であって、
各々の平面状シートが約１．２７ｃｍ（０．５インチ）〜約２．５４ｃｍ（１．０インチ）の範囲内の幅と、約３０．４８ｃｍ（１２インチ）〜９１．４４ｃｍ（３６インチ）の範囲内の長さとを有する複数の平面状シートを積層すること、
前記積層体の各平面状シートの間に黒色紫外線接着剤の層を配置すること、
紫外線放射を使用して前記黒色紫外線接着剤の各層を硬化させること、
前記入口面が前記出口面と実質的に平行になるように、前記積層体を切断して前記積層体の一側部に入口面を形成し、前記積層体の反対側の側部に出口面を形成すること、
前記積層体の前記入口面に、カプラーであって、前記投影された光画像を形成する前記入口面に対して垂直ではない軸に沿う光を、前記入口面に対して垂直な軸へと再指向させるカプラーを接合すること、
前記カプラーが接合された積層体を、前記出口面と整列される開放した前部を有し、又その内部に前記カプラーと光学的に整列される光発生器を有する矩形の筐体の中に固定すること、
を含む製造方法。
【請求項２１０】  前記積層は、約５００〜約８００枚の平面状シートが積層されるまで繰り返す請求項２０９の製造方法。
【請求項２１１】  更に、前記切断の後に前記入口面及び前記出口面をつや消しにすることを含む請求項２０９の製造方法。
【請求項２１２】  更に、前記切断の後に前記入口面及び前記出口面をダイアモンドポリッシャーで研磨することを含む請求項２０９の製造方法。
【請求項２１３】  投影された画像を表示するための光学パネルの製造方法であって、
第１の平面状シートを、前記第１の平面状シートよりも僅かに大きな寸法のトラフ内に配置すること、
前記トラフを熱硬化性エポキシで充填すること、
前記第１の平面状シートの上に更なる平面状シートを積層することで各平面状シートの間にエポキシ層を形成すること、
前記積層体に一様な圧力を加えることで前記エポキシを流動させて平面状シートの間で略一様なレベルとすること、
前記積層体をベーキングして硬化させること、
前記積層体を冷却すること、
前記入口面が前記出口面と実質的に平行になるように、前記積層体を切断して前記積層体の一側部に入口面を形成し、前記積層体の反対側の側部に出口面を形成すること、
前記積層体の前記入口面に、カプラーであって、前記入口面に対して垂直ではない軸に沿う光を、前記入口面に対して垂直な軸へと再指向させ、該光が、当該光学パネルを通して投影されて前記出口面において形成される画像を形成するようにするカプラーを接合すること、
前記カプラーが接合された前記積層体を、前記出口面と整列される開放した前部を有し、又その内部に前記カプラーと光学的に整列される光発生器を有する矩形の筐体の中に固定すること、
を含む製造方法。
【請求項２１４】  前記エポキシは黒色である請求項２１３の製造方法。
【請求項２１５】  前記エポキシは前記平面状シートよりも小さい屈折率を有する請求項２１３の製造方法。
【請求項２１６】  前記積層は、約５００〜約８００枚の平面状シートが積層されるまで繰り返す請求項２１３の製造方法。
【請求項２１７】  前記エポキシの略一様なレベルは、平面状シートの間で約０．０００５１ｃｍ（０．０００２インチ）の深さである請求項２１３の製造方法。
【請求項２１８】  前記ベーキングは約８０℃にて行う請求項２１３の製造方法。
【請求項２１９】  前記切断はダイアモンド鋸を用いて行なう請求項２１３の製造方法。
【請求項２２０】  更に、前記切断の後に前記積層体をダイアモンドポリッシャーで研磨することを含む請求項２１３の製造方法。
【請求項２２１】  更に、前記切断の後に前記出口面をつや消しにすることを含む請求項２１３の製造方法。
【請求項２２２】  投影された画像を表示するための光学パネルの製造方法であって、
複数の平面状シートを、前記平面状シートの屈折率よりも小さい屈折率を有するクリアなクラッド材料で個別に被覆すること、
複数の被覆された平面状シートを垂直方向に積層すること、
前記複数の積層された被覆された平面状シートを、エポキシを用いて互いに固定すること、
前記積層体に一様な圧力を加えること、
前記積層体をベーキングして硬化させること、
前記入口面が前記出口面と実質的に平行になるように、前記積層体を切断して前記積層体の一側部に入口面を形成し、前記積層体の反対側の側部に出口面を形成すること、
前記積層体の前記入口面に、カプラーであって、前記入口面に対して垂直ではない軸に沿う光を、前記入口面に対して垂直な軸へと再指向させ、該光が、当該光学パネルを通して投影されて前記出口面において形成される画像を形成するようにするカプラーを接合すること、
前記カプラーが接合された前記積層体を、前記出口面と整列される開放した前部を有し、又その内部に前記カプラーと光学的に整列される光発生器を有する矩形の筐体の中に固定すること、
を含む製造方法。
【請求項２２３】  前記エポキシは黒色である請求項２２２の製造方法。
【請求項２２４】  前記垂直方向の積層は、１つの被覆された平面状シートの表面積よりも僅かに大きなトラフの中で行なう請求項２２２の製造方法。
【請求項２２５】  前記固定は、前記積層の前に熱硬化性黒色エポキシで前記トラフを充填することを含む請求項２２４の製造方法。
【請求項２２６】  前記垂直方向の積層は、約５００〜約８００枚の平面状シートが積層されるまで繰り返す請求項２２２の製造方法。
【請求項２２７】  更に、前記切断の後に前記入口面及び前記出口面をつや消しにすることを含む請求項２２２の製造方法。
【請求項２２８】  更に、前記切断の後に前記入口面及び前記出口面をダイアモンドポリッシャーで研磨することを含む請求項２２２の製造方法。
【請求項２２９】  投影された画像を表示するための光学パネルの製造方法であって、
各々の平面状シートが約１．２７ｃｍ（０．５インチ）〜約２．５４ｃｍ（１．０インチ）の範囲内の幅と、約３０．４８ｃｍ（１２インチ）〜９１．４４ｃｍ（３６インチ）の範囲内の長さとを有する複数の平面状シートを積層すること、
前記積層体の各平面状シートの間に黒色紫外線接着剤の層を配置すること、
紫外線放射を使用して前記黒色紫外線接着剤の各層を硬化させること、
前記入口面が前記出口面と実質的に平行になるように、前記積層体を切断して前記積層体の一側部に入口面を形成し、前記積層体の反対側の側部に出口面を形成すること、
前記積層体の前記入口面に、カプラーであって、前記入口面に対して垂直ではない軸に沿う光を、前記入口面に対して垂直な軸へと再指向させ、該光が、当該光学パネルを通して投影されて前記出口面において形成される画像を形成するようにするカプラーを接合すること、
前記カプラーが接合された積層体を、前記出口面と整列される開放した前部を有し、又その内部に前記カプラーと光学的に整列される光発生器を有する矩形の筐体の中に固定すること、
を含む製造方法。
【請求項２３０】  前記積層は、約５００〜約８００枚の平面状シートが積層されるまで繰り返す請求項２２９の製造方法。
【請求項２３１】  更に、前記切断の後に前記入口面及び前記出口面をつや消しにすることを含む請求項２２９の製造方法。
【請求項２３２】  更に、前記切断の後に前記入口面及び前記出口面をダイアモンドポリッシャーで研磨することを含む請求項２２９の製造方法。
【手続補正２】
【補正対象書類名】図面
【補正対象項目名】図４
【補正方法】削除
【補正の内容】